(57)【要約】      （修正有）【課題】リユース衣料品の買取業務を行う店舗において、買取業務処理（検分査定作業、買取金額算出作業）を効率的に行うことのできる店舗用カウンターを提供する。【解決手段】適宜面積を有するテーブル部４とテーブル部上又はテーブル部に隣接して配置されたレジスター１とを備えてなる店舗用カウンターにおいて、テーブル部４に、テーブル部上面位置と対応して隣接する上方開口面を有するボックス３１を複数形成したボックス部３を設けてなる。【選択図】図２
0003156700.tif 000002
【実用新案登録請求の範囲】
【請求項１】
適宜面積を有するテーブル部とテーブル部上またはテーブル部に隣接して配置されたレジスターとを備えてなる店舗用カウンターにおいて、テーブル部に、テーブル部上面位置と対応して隣接する上方開口面を有するボックスを複数形成したボックス部を設けてなることを特徴とする店舗用カウンター。
【請求項２】
ボックス部が格子状に区分けしたボックスで構成されている請求項１記載の店舗用カウンター。
【請求項３】
ボックス部が、所定の凹部と、凹部を仕切る仕切り板で形成されると共に、仕切り板の一部または全部を凹部内に着脱自在あるいは移動自在として、ボックスの大きさを変更可能とした請求項２記載の店舗用カウンター。
【請求項４】
各ボックスの上方開口縁に、所定の価格基準を表示した表示札を設けてなる請求項１乃至３記載のいずれかの店舗用カウンター。
【請求項５】
レジスターの一方側に隣接して販売用テーブル部を配置し、他方側にレジスターに隣接してボックス部を配置すると共に、ボックス部に隣接して買取用テーブル部を配置してなる請求項１乃至４記載のいずれかの店舗用カウンター。
【考案の詳細な説明】
【技術分野】
【０００１】
本考案は、買い取り販売業務に適する店舗用カウンターに関するものである。
【背景技術】
【０００２】
一般商店のカウンターは、基本的にカウンターテーブルとカウンターテーブル上に配置されたレジスター（以下「レジ」という）を備えているもので、カウンターテーブルは、商品の確認、包装を行い、商品価格をレジに打ち込み、所定の清算行為を行うものである。
【０００３】
またレジ作業の効率化を考慮して、カウンターテーブルに商品に付されたバーコードの読み取り機構を、読み取り部分がテーブル面と一致するように設け、或いはバーコードの読み取り機構を移動可能に設ける等の提案がなされている（特許文献１）。
【先行技術文献】
【特許文献】
【０００４】
【特許文献１】特開平９−５６５４８号公報。
【考案の概要】
【考案が解決しようとする課題】
【０００５】
ところで近年衣料品のリユースショップが展開されている。前記の業務は不特定多数の売主（一般人）が店舗に衣料品を持ち込み、店舗側が当該衣料品を査定し、買い取りを行い、所定の処理（洗濯・殺菌処理・修繕等）を施した後、リユース衣料品として店頭に陳列して販売しているものである。
【０００６】
前記のような買取業務と販売業務を一緒に行っている店舗では、テーブル部とレジ部を有する通常の店舗カウンターを備えているのが一般的である。
【０００７】
商品販売業務処理においては、販売商品には予めバーコードを表示したタグを付けておくので、レジで処理する販売商品が単数であっても複数であっても何らの支障もない。
【０００８】
しかし買取業務処理においては、買い取り商品毎にその買取金額の査定および提示を行う必要があり、また買い取りに際しては、商品データ処理のために、買取商品に所定のコード番号を付与し、所定の買取伝票に所定事項を記入し、買取金額並びに所定事項をデータ端末（レジ）に入力する必要があり、更に買取商品の持ち込み者に対しては、円滑に買取業務処理を行うために、複数の持ち込み品（買取商品）の各々査定金額や合計金額を提示する必要がある。
【０００９】
前記の買取業務処理を、従前のテーブルタイプのカウンターで行うと、買取商品はカウンターテーブル上に広げ、細部を点検する作業をする必要があり、買取商品が多数になると、点検査定終了後の買取商品自体が邪魔になり、査定作業や集計作業が面倒になる。
【００１０】
そこで本考案は、買取業務処理に便利な店舗カウンターを提案したものである。
【課題を解決するための手段】
【００１１】
本考案に係る店舗用カウンターは、適宜面積を有するテーブル部とテーブル部上またはテーブル部に隣接して配置されたレジスターとを備えてなる店舗用カウンターにおいて、テーブル部に、テーブル部上面位置と対応して隣接する上方開口面を有するボックスを複数形成したボックス部を設けてなることを特徴とするものである。
【００１２】
而して衣料品の買取業務に際しては、買取対象の衣料品をテーブル部で検分査定を行い、査定価格に対応して所定のボックスに収納することを順次行い、持ち込み者に対して各持ち込みされた衣料品の査定程度を確認させることできると共に、各ボックスに収納された買取商品の枚数から、買取金員の支払作業（伝票作成作業、レジ打ちによる支払金額の算出作業）を容易に行うことができる。特に買取伝票の記入欄の構成を、ボックスと一致させておくと、書込みミスも少なく、早く且つ確実に伝票作成作業を行うことできる。
【００１３】
また本考案（請求項２）に係る店舗用カウンターは、前記のカウンターに置いて、特に  ボックス部が格子状に区分けしたボックスで構成されているので、テーブル部と対応するカウンター構成とすることができ、カウンター全体がすっきりとした形状となる。
【００１４】
また本考案（請求項３）に係る店舗用カウンターは、ボックス部が、所定の凹部と、凹部を仕切る仕切り板で形成されると共に、仕切り板の一部または全部を凹部内に着脱自在あるいは移動自在として、ボックスの大きさを変更可能としたもので、買取商品の種別に応じてボックス容積を変更して対応できるものである。
【００１５】
また本考案（請求項４）に係る店舗用カウンターは、特に各ボックスの上方開口縁に、所定の価格基準を表示した表示札を設けてなるもので、商品持ち込み者に対する査定金額の確認、並びに支払作業を容易に行えるものである。
【００１６】
また本考案（請求項５）に係る店舗用カウンターは、特にレジスターの一方側に隣接して販売用テーブル部を配置し、他方側にレジスターに隣接してボックス部を配置すると共に、ボックス部に隣接して買取用テーブル部を配置してなるもので、販売業務処理と買取業務処理を同時進行で行うことができ、買取業務処理における買取金額査定作業を買取用テーブル部で行いながら、当該衣料品を所定のボックス部に収納し、買い取り衣料品の全部の査定作業を終了すると、所定の伝票処理を行い、レジ前に移動して、隣接するボックス部内の収納衣料品（買取商品）と買取伝票を確認しながらレジ打ち作業を行うものである。
【考案の効果】
【００１７】
本考案の構成は上記のとおりで、衣料品リユース販売店において、複数の衣料品の同時買い取りに際して、買取金額査定作業、買取伝票の作成並びに買取総額の算出等の支払作業が容易になり、店舗カウンターでの業務効率を高めるものである。
【図面の簡単な説明】
【００１８】
【図１】本考案の実施形態の全体斜視図。
【図２】同平面図。
【図３】同ボックス部の別例図。
【考案を実施するための形態】
【００１９】
次に本考案の実施形態について説明する。実施例に示した店舗用カウンターは、レジスター１の一方側に販売業務を行う販売用テーブル部２を配置し、他方側に買い取り業務を行うボックス部３と買取用テーブル部４を設けたものである。
【００２０】
販売用テーブル部２の具体的構成は、従前の商品販売店舗と同様で、商品の包装作業を行うことができる適宜な広さを備えていればよいものである。
【００２１】
他方側のボックス部３は、格子状に区分けし、上面開口縁が隣接する買取用テーブル部4の上面と一致あるいは僅かな段差となる高さのボックス３１ａ，３１ｂ，３１ｃ・・・で構成され、前記の各ボックス３１ａ，３１ｂ，３１ｃ・・・の上方開口縁には、所定の価格基準を表示した表示札３２ａ，３２ｂ，３２ｃ・・・を設けてなる。
【００２２】
而して前記の店舗用カウンターは、衣料品の販売業務と同時に買取業務行う所謂リユース衣料品と称される店舗に設置されるもので、店舗内に陳列している商品（リユース衣料品）Ａの販売業務処理（販売作業）と、当該店舗に持ち込まれる衣料品（買取商品）Ｅの買取業務処理（検分査定作業及び支払作業）を、同一のカウンターで処理するものである。
【００２３】
販売業務処理は、通常の店舗販売業務処理と同様に、商品Ａを購入のために購入者Ｂが販売用テーブル部２に載置して提示すると、店員Ｃ１が当該商品Ａの金額のレジ打ち作業（一般にはバーコードの読み取り作業）を行い、当該商品Ａを包装し、購入者に引き渡すと共に、金員の受領を行う。
【００２４】
買取業務は、持ち込み者Ｄが持ち込んだ衣料品（買取商品）Ｅを、買取テーブル部４の上で広げ、買取商品Ｅの検分査定を行い、査定価格を持ち込み者に告知し、持ち込み者が了解すると、当該金員レジ１で記録し、当該金員を支払い、買取業務を終了するが、持ち込み衣料品が多数の場合には、買取商品Ｅ１，Ｅ２，Ｅ３・・・を、商品毎に順次、店員Ｃ２が買取テーブル部４で検分査定を行い、持ち込み者Ｄに査定価格を告知すると共に、当該査定金額に対応する所定のボックス３１ａ，３１ｂ，３１ｃ・・・に収納する。
【００２５】
そして買取商品Ｅ１，Ｅ２，Ｅ３・・・の全てをボックス３１ａ，３１ｂ，３１ｃ・・・に収納すると、店員Ｃ２は、所定のボックス３１ａ，３１ｂ，３１ｃ・・・と対応する記入欄を備えている書式の買取伝票に所定事項を記入し、記入後に店員Ｃ２は、レジスター１の前に移動し、各ボックス３１ａ，３１ｂ，３１ｃ・・の金額（表示札３２ａ，３２ｂ，３２ｃ・・・の表示金額）と、当該ボックス３１ａ，３１ｂ，３１ｃ・・に収納された買取商品の数を、買取伝票の記入事項を確認しながらレジスター１に打ち込むことで、買取総額が算出され、当該金員を持ち込み者Ｄに支払うことで買取業務が終了する。
【００２６】
従って持ち込み品（買取商品）Ｅが多数であっても、買取商品Ｅの査定金額毎の区分け作業（検分査定作業）と、伝票記入及び買取総額の算出の支払作業が、スムーズに行われると共に、持ち込み者Ｄに対しても各買取商品Ｅ１，Ｅ２，Ｅ３・・・の査定程度（査定金額）を確認させることができ、買取業務に誤りが発生することを未然に防止できたものである。
【００２７】
また前記の実施形態は、買取業務と販売業務を単一のレジスター１で行うカウンターについて説明したが、買取業務は販売業務よりも時間を要するので、複数人の持ち込み者が来店してもすぐに対応できるように、図１に例示するとおり、サブのレジスター（端末機器）１ａと、第二ボックス部３ａと、第二買取用デーブル部４ａを付設するようにしても良い。
【００２８】
また図３に示すように本考案におけるボックス部３ｂは、買取用テーブル部４に隣接して設けた矩形の凹部３３に、固定仕切板３４を内設すると共に、所望位置に着脱移動可能とした移動仕切板３５を装着することで、ボックス３１を形成するようにしても良く、移動仕切板３５の装着位置の選択でボックス３１の大きさを任意に設定できるものである。
【００２９】
勿論前記の固定仕切板３４についても着脱構成を採用しても良い。更には移動仕切板３５に替えて、凹部３３内の一定位置に選択着脱できるようにした着脱仕切板を採用しても良い。
【００３０】
また本考案は、買取作業が効率的になされる店舗用カウンターであって、前記の実施形態のように同一カウンターで販売業務処理と買取業務処理を行うものに限定されるものはなくし、販売作業を行うカウンターと買取作業を行うカウンターを各別に設置するようにしても良い。
【符号の説明】
【００３１】
１          レジスター
２          販売用テーブル部
３，３ａ，３ｂ          ボックス部
３１，３１ａ，３１ｂ，３１ｃ・・・    ボックス
３２ａ，３２ｂ，３２ｃ・・・    表示札
３３        凹部
３４        固定仕切板
３５        移動仕切板
４          買取用テーブル部
【図１】
0003156700.tif 000003
【図２】
0003156700.tif 000004
【図３】
0003156700.tif 000005